(57)【要約】【課題】  本発明は、Ｆｅ−Ｃｒ系酸化物において、赤みが少ない黒色であって、優れた赤外線反射性を有する赤外線反射性黒色顔料を提供するものである。【解決手段】  ＦｅとＣｒとの複合酸化物であって、更に、ホウ素を０．０５〜１２ｗｔ％含有する赤外線反射性黒色顔料であって、該黒色顔料の黒色度（ａ＊）が２以下であり、近赤外反射率が４２％以上である赤外線反射性黒色顔料、当該赤外線反射性黒色顔料を用いた塗料及び樹脂組成物である。【選択図】なし【特許請求の範囲】
【請求項１】
ＦｅとＣｒとの複合酸化物であって、更に、ホウ素を０．０５〜１２ｗｔ％含有することを特徴とする赤外線反射性黒色顔料。
【請求項２】
ＦｅとＣｒとの組成比がモル比で２５〜８０：７５〜２０の範囲である請求項１記載の赤外線反射性黒色顔料。
【請求項３】
前記黒色顔料の黒色度（ａ＊）が２以下である請求項１又は２に記載の赤外線反射性黒色顔料。
【請求項４】
前記黒色顔料の近赤外反射率が４２％以上である請求項１〜３のいずれかに記載の赤外線反射性黒色顔料。
【請求項５】
請求項１〜４のいずれかに記載の赤外線反射性黒色顔料を配合した塗料。
【請求項６】
請求項１〜４のいずれかに記載の赤外線反射性黒色顔料を用いて着色した樹脂組成物。
【発明の詳細な説明】
【技術分野】
【０００１】
本発明は、優れた赤外線反射性を有する黒色顔料に関するものである。
【背景技術】
【０００２】
屋外で用いられている道路、建築物、備蓄タンク、自動車、船舶等は、太陽の日射によって内部温度が上昇するため、建築物及び自動車等の外観塗装を白色から淡色にすることで太陽光を反射させ、ある程度熱遮蔽効果を高めることが行われている。
【０００３】
しかしながら、屋外建築物の屋根などは、汚れを目立たなくするために、濃彩色から黒色を呈している場合が多く、外観塗装が濃彩色から黒色を有する建築物及び自動車等の場合には、淡色から白色の外観塗装を有する建築物及び自動車等に比べて太陽光を吸収しやすく、屋内の温度が著しく上昇する傾向にある。物品の輸送、保存に当たって、内部が高温になることは好ましいものではない。
【０００４】
そこで、地球温暖化防止のためのエネルギー節約という観点からも、濃彩色から黒色の外観を有する建築物及び自動車等の内部温度の上昇を抑制することが強く望まれている。
【０００５】
従来より、濃彩色から黒色の外観塗装を有する建築物及び自動車等の内部温度の上昇を低減するために、熱遮蔽性黒色塗料が知られており、Ｆｅ−Ｃｒ複合酸化物が用いられている（例えば、特許文献１〜３参照）。
【先行技術文献】
【特許文献】
【０００６】
【特許文献１】特開２００１−３１１０４９号公報
【特許文献２】特開２０１３−２４９３９３号公報
【特許文献２】特表２０１３−５２０５３２号公報
【発明の開示】
【発明が解決しようとする課題】
【０００７】
上記の通り、優れた赤外線反射性を有する黒色顔料としていくつかの黒色顔料が開発されているものの、これら顔料は必ずしも十分とは言えず、さらなる改良が求められている。
【０００８】
特許文献１には、Ｆｅ２Ｏ３とＣｒ２Ｏ３とを含有する焼成顔料を含む熱線遮蔽塗料組成物が記載されている。特許文献２にはＣｒとＦｅとのモル比が９０〜９７：１０〜３であって非スピネル型構造の黒色顔料が記載されている。特許文献３にはリン酸塩の存在下で形成されたＦｅ−Ｃｒ系複合酸化物が記載されている。特許文献１〜３のいずれにおいても、赤みが少なく黒色度に優れるとともに、赤外線反射性に優れた黒色顔料が得られていない。
【０００９】
本発明の目的は、Ｆｅ−Ｃｒ系酸化物において、黒色であって、優れた赤外線反射性を有する赤外線反射性黒色顔料を提供することである。
【課題を解決するための手段】
【００１０】
前記目的は、次の通りの本発明によって達成できる。
【００１１】
即ち、本発明は、ＦｅとＣｒとの複合酸化物であって、更に、ホウ素を０．０５〜１２ｗｔ％含有することを特徴とする赤外線反射性黒色顔料である（本発明１）。
【００１２】
また、本発明は、ＦｅとＣｒとの組成比がモル比で２５〜８０：７５〜２０の範囲である請求項１記載の赤外線反射性黒色顔料である（本発明２）。
【００１３】
また、本発明は、前記黒色顔料の黒色度（ａ＊）が２以下である本発明１又は２に記載の赤外線反射性黒色顔料である（本発明３）。
【００１４】
また、本発明は、前記黒色顔料の近赤外反射率が４２％以上である本発明１〜３のいずれかに記載の赤外線反射性黒色顔料である（本発明４）。
【００１５】
また、本発明は、本発明１〜４のいずれかに記載の赤外線反射性黒色顔料を配合した塗料である（本発明５）。
【００１６】
また、本発明は、本発明１〜４のいずれかに記載の赤外線反射性黒色顔料を用いて着色した樹脂組成物である（本発明６）。
【発明の効果】
【００１７】
本発明に係る赤外線反射性黒色顔料は、優れた赤外線反射性を有するとともに、ａ＊値が小さく赤み少なく、色相が無彩色であって黒色度に優れた赤外線反射性黒色顔料として好適である。
【発明を実施するための形態】
【００１８】
本発明の構成をより詳しく説明すれば次の通りである。
【００１９】
先ず、本発明に係る赤外線反射性黒色顔料について述べる。
【００２０】
また、本発明に係る赤外線反射性黒色顔料は、ＦｅとＣｒとの複合酸化物であって、ホウ素を０．０５〜１２重量％含有するものである。
【００２１】
本発明に係る赤外線反射性黒色顔料のホウ素含有量は０．０５〜１２重量％である。ホウ素の含有量が０．０５重量％未満の場合、色相のうち、ａ＊値が高くなり好ましくない。ホウ素の含有量が１２重量％を超える場合、効果が飽和するので必要以上に添加する必要がない。好ましいホウ素の含有量は０．１〜１１重量％であり、より好ましくは０．２〜８重量％である。
【００２２】
本発明に係る赤外線反射性黒色顔料のＦｅとＣｒとの組成比は、特に限定されるものではないが、モル比で２５〜８０：７５〜２０の範囲が好ましい。ＦｅとＣｒとの組成比が前記範囲に制御することによって、黒色度に優れた赤外線反射性黒色顔料となる。より好ましくは２８〜７８：７２〜２２である。
【００２３】
本発明に係る赤外線反射性黒色顔料の結晶構造は、非スピネル構造（ヘマタイト構造）が好ましい。単相が好ましいが、若干の不純物相があっても良い。必要により、Ｆｅ及びＣｒ以外の金属元素Ｍｎ、Ｎｉ、Ｚｎ、Ｃｕ、Ｍｇ、Ｔｉから選ばれる１種又は２種以上の金属元素を含有してもよい。
【００２４】
また、本発明に係る赤外線反射性黒色顔料は、各種原料由来の不純物が不可避的に混入してもよい。
【００２５】
本発明に係る赤外線反射性黒色顔料のＢＥＴ比表面積は、０．１〜１００ｍ２／ｇが好ましい。ＢＥＴ比表面積が０．１ｍ２／ｇ未満の場合には、粒子が粗大であったり、粒子及び粒子相互間で焼結が生じた粒子となっており、着色力が低下する。一方、ＢＥＴ比表面積が１００ｍ２／ｇを超える場合には、粒子の微細化による分子間力の増大により凝集を起こしやすいため、分散性が低下する。より好ましいＢＥＴ比表面積は０．３〜７５ｍ２／ｇ、更により好ましくは０．５〜６５ｍ２／ｇである。
【００２６】
本発明に係る赤外線反射性黒色顔料の明度（Ｌ＊）は、２９以下が好ましい。明度（Ｌ＊）が前記範囲外の場合には、黒色顔料とは言い難い。好ましい明度（Ｌ＊）は２８以下、より好ましくは２６以下である。
【００２７】
本発明に係る赤外線反射性黒色顔料のａ＊は２．０以下が好ましく、赤みが少なく黒色度に優れる。より好ましくは１．８以下である。
【００２８】
本発明に係る赤外線反射性黒色顔料のｂ＊は２．０以下が好ましく、より好ましくは１．８以下である。
【００２９】
なお、これらの赤外線反射性黒色顔料の明度（Ｌ＊）、ａ＊、ｂ＊は、黒色顔料の組成、焼成条件及び粉砕条件によって上記の範囲となるように調整できる。
【００３０】
本発明に係る赤外線反射性黒色顔料の赤外線反射率は、ラッカー色見本塗膜をＪＩＳ  Ｋ  ５６０２に従い測定したときの近赤外反射率が４２％以上が好ましい。赤外線反射率が４２％未満では、近赤外反射率が十分に高いとは言えない。より好ましく赤外線反射率は４５％以上であり、更により好ましくは４６％以上である。赤外線反射率は、黒色顔料の組成、焼成条件及び粉砕条件によって上記の範囲となるように調整できる。
【００３１】
本発明に係る赤外線反射性黒色顔料の粒子の形状は、特定の形状に限定されず、球状、粒状、八面体状、六面体状、多面体状等の粒状粒子、針状、紡錘状、米粒状等の針状粒子及び板状粒子等を使用することができる。得られる黒色顔料の分散性を考慮すれば、球状粒子及び粒状粒子が好ましい。
【００３２】
本発明に係る赤外線反射性黒色顔料の平均粒子径（メジアン径Ｄ５０）は、０．０２〜６．０μｍが好ましい。より好ましい平均粒子径は０．０５〜５．０μｍ、更により好ましくは０．１〜４．０μｍである。
【００３３】
本発明に係る赤外線反射性黒色顔料は、Ｓｉ、Ａｌ、Ｚｒ、Ｔｉ、Ｚｎ、Ｐから選ばれる１種以上の化合物又は有機系表面処理剤を用いて赤外線反射性黒色顔料の表面を被覆することができる。表面被覆により、容易に分散性向上の効果が得られる。
【００３４】
Ｓｉ、Ａｌ、Ｚｒ、Ｔｉ、Ｚｎ、Ｐから選ばれる１種以上の化合物としては、アルミニウム化合物として、酢酸アルミニウム、硫酸アルミニウム、塩化アルミニウム、硝酸アルミニウム等のアルミニウム塩や、アルミン酸ナトリウム等のアルミン酸アルカリ塩等が挙げられる。ケイ素化合物として、３号水ガラス、オルトケイ酸ナトリウム、メタケイ酸ナトリウム等が挙げられる。ジルコニウム化合物として、酢酸ジルコニウム、硫酸ジルコニウム、塩化ジルコニウム、硝酸ジルコニウム等のジルコニウム塩等が使用できる。チタン化合物として、酢酸チタニウム、硫酸チタニウム、塩化チタニウム、硝酸チタニウム等のチタニウム塩等が使用できる。亜鉛化合物として、酢酸亜鉛、硫酸亜鉛、塩化亜鉛、硝酸亜鉛等の亜鉛塩等が使用できる。りん化合物として、リン酸水素ナトリウム、リン酸水素アンモニウムナトリウム、リン酸カリウム、ポリリン酸ナトリウム、ヘキサメタリン酸ナトリウム等のリン酸塩等が使用できる。
【００３５】
有機系表面処理剤としては、ステアリン酸又はその塩、ロジン、アルコキシシラン、フルオロアルキルシラン、シラン系カップリング剤及びオルガノポリシロキサン等の有機ケイ素化合物、チタネート系、アルミネート系及びジルコネート系などのカップリング剤、低分子あるいは高分子界面活性剤、リン酸化合物等が挙げられる。
【００３６】
有機ケイ素化合物としては、具体的には、メチルトリエトキシシラン、ジメチルジエトキシシラン、フェニルトリエトキシシラン、ジフェニルジエトキシシラン、メチルトリメトキシシラン、ジメチルジメトキシシラン、フェニルトリメトキシシラン、ジフェニルジメトキシシラン、エチルトリエトキシシラン、プロピルトリエトキシシラン、ブチルトリエトキシシラン、イソブチルトリメトキシシラン、ヘキシルトリエトキシシラン、オクチルトリエトキシシラン及びデシルトリエトキシシラン等のアルコキシシラン、トリフルオロプロピルトリメトキシシラン、トリデカフルオロオクチルトリメトキシシラン、ヘプタデカフルオロデシルトリメトキシシラン、トルフルオロプロピルトリエトキシシラン、ヘプタデカフルオロデシルトリエトキシシラン及びトリデカフルオロオクチルトリエトキシシラン等のフルオロアルキルシラン、ビニルトリメトキシシラン、ビニルトリエトキシシラン、γ−アミノプロピルトリエトキシシラン、γ−グリシドキシプロピルトリメトキシシラン、γ−メルカプトプロピルトリメトキシシラン、γ−メタクロイルオキシプロピルトリメトキシシラン、Ｎ−（β−アミノエチル）−γ−アミノプロピルトリメトキシシラン、γ−グリシドキシプロピルメチルジメトキシシラン、γ−クロロプロピルトリメトキシシラン等のシラン系カップリング剤、ポリシロキサン、メチルハイドロジェンポリシロキサン、変性ポリシロキサン等のオルガノポリシロキサン等が挙げられる。
【００３７】
チタネート系カップリング剤としては、イソプロピルトリステアロイルチタネート、イソプロピルトリス（ジオクチルパイロホスフェート）チタネート、イソプロピルトリ（Ｎ−アミノエチル・アミノエチル）チタネート、テトラオクチルビス（ジトリデシルホスフェイト）チタネート、テトラ（２−２−ジアリルオキシメチル−１−ブチル）ビス（ジトリデシル）ホスフェイトチタネート、ビス（ジオクチルパイロホスフェート）オキシアセテートチタネート、ビス（ジオクチルパイロホスフェート）エチレンチタネート等が挙げられる。
【００３８】
アルミネート系カップリング剤としては、アセトアルコキシアルミニウムジイソプロピレート、アルミニウムジイソプロボキシモノエチルアセトアセテート、アルミニウムトリスエチルアセトアセテート、アルミニウムトリスアセチルアセトネート等が挙げられる。
【００３９】
ジルコネート系カップリング剤としては、ジルコニウムテトラキスアセチルアセトネート、ジルコニウムジブトキシビスアセチルアセトネート、ジルコニウムテトラキスエチルアセトアセテート、ジルコニウムトリブトキシモノエチルアセトアセテート、ジルコニウムトリブトキシアセチルアセトネート等が挙げられる。
【００４０】
低分子系界面活性剤としては、アルキルベンゼンスルホン酸塩、ジオクチルスルホンコハク酸塩、アルキルアミン酢酸塩、アルキル脂肪酸塩等が挙げられる。高分子系界面活性剤としては、ポリビニルアルコール、ポリアクリル酸塩、カルボキシメチルセルロース、アクリル酸−マレイン酸塩コポリマー、オレフィン−マレイン酸塩コポリマー等が挙げられる。
【００４１】
リン酸化合物としては、リン酸エステル、亜リン酸エステル、酸性リン酸エステル、ホスホン酸等の有機リン化合物等が挙げられる。
表面処理は、用いる処理剤の種類にもよるが、通常、黒色顔料に対し、０．１〜１０重量％、好ましくは０．３〜８．０重量％の範囲で行う。
【００４２】
次に、本発明に係る赤外線反射性黒色顔料の製造方法について述べる。
【００４３】
本発明に係る複合酸化物からなる赤外線反射性黒色顔料は、各種原料とともに融剤を混合、焼成して得ることができる。出発原料は、前記各金属元素の酸化物、水酸化物、炭酸塩、硝酸塩、硫酸塩などを用いることができる。
【００４４】
本発明における融剤としては、ホウ砂（Ｎａ２Ｂ４Ｏ７）が好ましく、その添加量は（Ｆｅ、Ｃｒ）２Ｏ３に対して、０．０５〜１７重量％が好ましい。
【００４５】
出発原料の混合は、均一に混合することができれば、特に限定されるものではなく、湿式混合でも乾式混合でもよい。また湿式合成であってもよい。
【００４６】
加熱焼成温度は８００〜１２００℃が好ましく、９００〜１１００℃がより好ましい。加熱雰囲気は窒素雰囲気である。
【００４７】
加熱後の粉末は、常法に従って、水洗、粉砕を行えばよい。
【００４８】
本発明においては、赤外線反射性黒色顔料の粒子表面をＳｉ、Ａｌ、Ｚｒ、Ｔｉ、Ｚｎ、Ｐから選ばれる１種又は２種以上の化合物によって被覆しておいてもよい。表面処理方法は、湿式あるいは乾式方法等の常法に従って行えばよい。例えば、湿式方法は湿式分散した赤外線反射性黒色顔料のスラリーに、Ｓｉ、Ａｌ、Ｚｒから選ばれる１種又は２種以上の可溶性化合物を、酸又はアルカリでｐＨ調整しながら添加・混合して被覆する方法、乾式方法はヘンシェルミキサーなどの装置中で赤外線反射性黒色顔料にＳｉ、Ａｌ、Ｚｒから選ばれる１種又は２種以上のカップリング剤などにより被覆処理する方法である。
【００４９】
乾式方法において、混合撹拌に使用する機器としては、粉体層にせん断力を加えることのできる装置が好ましく、せん断、へらなで及び圧縮が同時に行える装置、例えば、ホイール型混練機、ボール型混練機、ブレード型混練機、ロール型混練機を用いることが好ましい。ホイール型混練機がより効果的に使用できる。
【００５０】
前記ホイール型混練機としては、エッジランナー（「ミックスマラー」、「シンプソンミル」、「サンドミル」と同義語である）、マルチマル、ストッツミル、ウエットパンミル、コナーミル、リングマラー等があり、好ましくはエッジランナー、マルチマル、ストッツミル、ウエットパンミル、リングマラーであり、より好ましくはエッジランナーである。前記ボール型混練機としては、振動ミルがある。前記ブレード型混練機としては、ヘンシェルミキサー、プラネタリーミキサー、ナウタミキサーがある。前記ロール型混練機としては、エクストルーダーがある。
【００５１】
黒色顔料と表面処理剤との混合撹拌に使用する機器としては、粉体層にせん断力を加えることのできる装置が好ましく、せん断、へらなで及び圧縮が同時に行える装置、例えば、ホイール型混練機、ボール型混練機、ブレード型混練機、ロール型混練機を用いることが好ましい。ホイール型混練機がより効果的に使用できる。
【００５２】
前記ホイール型混練機としては、エッジランナー（「ミックスマラー」、「シンプソンミル」、「サンドミル」と同義語である）、マルチマル、ストッツミル、ウエットパンミル、コナーミル、リングマラー等があり、好ましくはエッジランナー、マルチマル、ストッツミル、ウエットパンミル、リングマラーであり、より好ましくはエッジランナーである。前記ボール型混練機としては、振動ミルがある。前記ブレード型混練機としては、ヘンシェルミキサー、プラネタリーミキサー、ナウタミキサーがある。前記ロール型混練機としては、エクストルーダーがある。
【００５３】
次に、本発明に係る赤外線反射性黒色顔料を配合した塗料について述べる。
【００５４】
本発明に係る塗料中における赤外線反射性黒色顔料の配合割合は、塗料構成基材１００重量部に対して０．５〜１００重量部の範囲で使用することができ、塗料のハンドリング性を考慮すれば、好ましくは１．０〜１００重量部である。
【００５５】
塗料構成基材としては、樹脂、溶剤、必要により油脂、消泡剤、体質顔料、乾燥促進剤、界面活性剤、硬化促進剤、助剤等が配合される。
【００５６】
樹脂としては、溶剤系塗料用や油性印刷インクに通常使用されているアクリル樹脂、アルキッド樹脂、ポリエステル樹脂、ポリウレタン樹脂、エポキシ樹脂、フェノール樹脂、メラミン樹脂、アミノ樹脂、塩化ビニル樹脂、シリコーン樹脂、ガムロジン、ライムロジン等のロジン系樹脂、マレイン酸樹脂、ポリアミド樹脂、ニトロセルロース、エチレン−酢酸ビニル共重合樹脂、ロジン変性フェノール樹脂、ロジン変性マレイン酸樹脂等のロジン変性樹脂、石油樹脂、フッ素樹脂等を用いることができる。水系塗料用としては、水系塗料用や水性インクに通常使用されている水溶性アクリル樹脂、水溶性スチレン−マレイン酸樹脂、水溶性アルキッド樹脂、水溶性メラミン樹脂、水溶性ウレタンエマルジョン樹脂、水溶性エポキシ樹脂、水溶性ポリエステル樹脂、水可溶性フッ素樹脂等を用いることができる。
【００５７】
溶剤としては、溶剤系塗料用に通常使用されている大豆油、トルエン、キシレン、シンナー、ブチルアセテート、メチルアセテート、メチルイソブチルケトン、メチルセロソルブ、エチルセロソルブ、プロピルセロソルブ、ブチルセロソルブ、プロピレングリコールモノメチルエーテル等のグリコールエーテル系溶剤、酢酸エチル、酢酸ブチル、酢酸アミル等のエステル系溶剤、ヘキサン、ヘプタン、オクタン等の脂肪族炭化水素系溶剤、シクロヘキサン等の脂環族炭化水素系溶剤、ミネラルスピリット等の石油系溶剤、アセトン、メチルエチルケトン等のケトン系溶剤、メチルアルコール、エチルアルコール、プロピルアルコール、ブチルアルコール等のアルコール系溶剤、脂肪族炭化水素等を用いることができる。
【００５８】
水系塗料用溶剤としては、水と水系塗料用に通常使用されているエチルアルコール、プロピルアルコール、ブチルアルコール等のアルコール系溶剤、メチルセロソルブ、エチルセロソルブ、プロピルセロソルブ、ブチルセロソルブ等のグリコールエーテル系溶剤、ジエチレングリコール、トリエチレングリコール、ポリエチレングリコール、ジプロピレングリコール、トリプロピレングリコール、ポリプロピレングリコール等のオキシエチレン又はオキシプロピレン付加重合体、エチレングリコール、プロピレングリコール、１，２，６−ヘキサントリオール等のアルキレングリコール、グリセリン、２−ピロリドン等の水溶性有機溶剤とを混合して使用することができる。
【００５９】
油脂としては、あまに油、きり油、オイチシカ油、サフラワー油等の乾性油を加工したボイル油を用いることができる。
【００６０】
消泡剤としては、ノプコ８０３４（商品名）、ＳＮデフォーマー４７７（商品名）、ＳＮデフォーマー５０１３（商品名）、ＳＮデフォーマー２４７（商品名）、ＳＮデフォーマー３８２（商品名）（以上、いずれもサンノプコ株式会社製）、アンチホーム０８（商品名）、エマルゲン９０３（商品名）（以上、いずれも花王株式会社製）等の市販品を使用することができる。
【００６１】
本発明の赤外線反射性黒色顔料を含有する塗料は分散性に優れる。実施例に記載の評価方法に従った分散性が、再分散性の容易（均一に分散）と評価される。
【００６２】
次に、本発明に係る赤外線反射性黒色顔料を含有する樹脂組成物について述べる。
【００６３】
本発明に係る樹脂組成物中における赤外線反射性黒色顔料の配合割合は、樹脂１００重量部に対して０．０１〜２００重量部の範囲で使用することができ、樹脂組成物のハンドリング性を考慮すれば、好ましくは０．０５〜１５０重量部、更に好ましくは０．１〜１００重量部である。
【００６４】
本発明に係る樹脂組成物における構成基材としては、赤外線反射性黒色顔料と周知の熱可塑性樹脂とともに、必要により、滑剤、可塑剤、酸化防止剤、紫外線吸収剤、各種安定剤等の添加剤が配合される。
【００６５】
樹脂としては、ポリエチレン、ポリプロピレン、ポリブテン、ポリイソブチレン等のポリオレフィン、ポリ塩化ビニル、ポリメチルペンテン、ポリエチレンテレフタレート、ポリブチレンテレフタレート、ポリスチレン、スチレン−アクリル酸エステル共重合体、スチレン−酢酸ビニル共重合体、アクリロニトリル−ブタジエン−スチレン共重合体、アクリロニトリル−ＥＰＤＭ−スチレン共重合体、アクリル系樹脂、ポリアミド、ポリカーボネート、ポリアセタール、ポリウレタン等の熱可塑性樹脂、ロジン変性マレイン酸樹脂、フェノール樹脂、エポキシ樹脂、ポリエステル樹脂、シリコーン樹脂、ロジン・エステル、ロジン、天然ゴム、合成ゴム等を用いることができる。
【００６６】
添加剤の量は、赤外線反射性黒色顔料と樹脂との総和に対して５０重量％以下であればよい。添加剤の含有量が５０重量％を超える場合には、成形性が低下する。
【００６７】
本発明に係る樹脂組成物は、樹脂原料と赤外線反射性黒色顔料をあらかじめよく混合し、次に、混練機もしくは押出機を用いて加熱下で強いせん断作用を加えて、赤外線反射性黒色顔料の凝集体を破壊し、樹脂組成物中に赤外線反射性黒色顔料を均一に分散させた後、目的に応じた形状に成形加工して使用する。
【００６８】
また本発明に係る樹脂組成物は、マスターバッチペレットを経由して得ることもできる。
【００６９】
本発明におけるマスターバッチペレットは、塗料及び樹脂組成物の構成基材としての結合材樹脂と前記赤外線反射性黒色顔料とを必要により、リボンブレンダー、ナウターミキサー、ヘンシェルミキサー、スーパーミキサー等の混合機で混合した後、周知の単軸混練押出機や二軸混練押出機等で混練、成形した後切断するか、又は、上記混合物をバンバリーミキサー、加圧ニーダー等で混練して得られた混練物を粉砕又は成形、切断することにより製造される。
【００７０】
結合材樹脂と赤外線反射性黒色顔料の混練機への供給は、それぞれを所定比率で定量供給してもよいし、両者の混合物を供給してもよい。
【００７１】
本発明におけるマスターバッチペレットは、平均長径１〜６ｍｍ、好ましくは２〜５ｍｍの範囲である。平均短径は２〜５ｍｍ、好ましくは２．５〜４ｍｍである。平均長径が１ｍｍ未満の場合には、ペレット製造時の作業性が悪く好ましくない。６ｍｍを超える場合には、希釈用結合材樹脂の大きさとの違いが大きく、十分に分散させるのが困難となる。また、その形状は種々のものができ、不定形及び球形等の粒状、円柱形、フレーク状等にできる。
【００７２】
本発明におけるマスターバッチペレットに使用する結合材樹脂としては、前記樹脂組成物用樹脂と同一の樹脂が使用できる。
【００７３】
なお、マスターバッチペレット中の結合材樹脂の組成は、希釈用結合材樹脂と同一の樹脂を用いても、また、異なる樹脂を用いてもよいが、異なる樹脂を使用する場合には、樹脂同士の相溶性により決まる諸特性を考慮して決めればよい。
【００７４】
マスターバッチペレット中に配合される赤外線反射性黒色顔料の量は、結合材樹脂１００重量部に対して１〜２００重量部、好ましくは１〜１５０重量部、より好ましくは１〜１００重量部である。１重量部未満の場合には、混練時の溶融粘度が不足し、赤外線反射性黒色顔料の良好な分散混合が困難である。２００重量部を超える場合には、赤外線反射性黒色顔料に対する結合材樹脂が少ないため、赤外線反射性黒色顔料の良好な分散混合が難しく、また、マスターバッチペレットの添加量のわずかな変化によって樹脂組成物中に配合される赤外線反射性黒色顔料の含有量が大きく変化するため所望の含有量に調製することが困難となり好ましくない。また、機械摩耗が激しく適当ではない。
【実施例】
【００７５】
本発明の代表的な実施例は、次の通りである。
【００７６】
比表面積は、ＢＥＴ法により測定した値で示した。
【００７７】
赤外線反射性黒色顔料の金属元素の含有量は、「蛍光Ｘ線分析装置３０６３Ｍ型」（理学電機工業株式会社製）を使用し、ＪＩＳ  Ｋ０１１９の「けい光Ｘ線分析通則」に従って測定した。ＦｅとＣｒについては、測定値をモル比に換算して示した。ホウ素は酸化物換算（Ｂ２Ｏ３）値で示した。
【００７８】
メジアン径Ｄ５０は、「ＳＫレーザーマイクロンサイザーＬＭＳ−２０００ｅ」（株式会社セイシン企業製）を使用し、測定した値を示した。
【００７９】
赤外線反射性黒色顔料の色相（Ｌ＊値、ａ＊値、ｂ＊値）は、マヨネーズビン（内容積１４０ｍｌ）中に、ガラスビーズ９０ｇ、黒色顔料１０ｇ、アミノアルキッド樹脂（クリヤー）１６．０ｇ、溶剤６．０ｇ配合し、ペイントコンデイショナーで１２０分間分散後、更にアルミアルキッド樹脂（クリヤー）５０ｇ追加後、ペイントコンデイショナーで５分分散し、ガラスビーズと分離した。塗料化してミラーコート紙上に１２５μｍ（５ｍｉｌ）のアプリケーターを用いて塗布した塗布片（塗膜厚み：約３０μｍ）を作製した。
塗膜片について、「色彩色差計ＣＲ−３００」（コニカミノルタセンシング株式会社製）を用いて測定した。
【００８０】
赤外線反射用黒色顔料の赤外線領域での波長の反射性は、上記の色相を測定するために作製した塗膜片について、「分光光度計  Ｕ−４１００」（株式会社日立ハイテクノロジーズ）を用いて測定を行い、７８０〜２５００ｎｍの波長における反射率（％）を測定した。ＪＩＳ  Ｋ  ５６０２に従って近赤外反射率を測定した。
【００８１】
実施例１
各種原料化合物を下記表１に示す含有量となるように計量、混合し、電気炉を使用し、１０００℃で１時間焼成した。焼成品を粉砕して赤外線反射性黒色顔料を得た。得られた赤外線反射性黒色顔料は、Ｘ線回折の結果、Ｆｅ及びＣｒを含む複合酸化物であり、ＢＥＴ比表面積１．４ｍ２／ｇ、メジアン径Ｄ５０が２．２μｍの黒色顔料であった。近赤外反射率を測定した結果、波長７８０〜２５００ｎｍにおける近赤外反射率が４８．７％であった。
【００８２】
実施例２〜６
原料組成及び焼成温度を種々変更した以外は前記実施例１と同様にして、黒色顔料を得た。
【００８３】
比較例１〜４
比較例１、２は、それぞれ、アサヒ化成工業製  銘柄６３５０、およびシェファード  カラー  ジャパン製  ３０Ｃ９４１である。また、比較例３、４では、原料としてＣｒ２Ｏ３およびＦｅ２Ｏ３のみからなり、それぞれ１１４０℃と１２２０℃で雰囲気焼成したものである。
【００８４】
赤外線反射性黒色顔料の製造条件、得られた赤外線反射性黒色顔料の諸特性を表１に示した。
【００８５】
実施例から明らかなとおり、本発明に係る赤外線反射顔料は、ミラーコート紙のような下地が白色の場合に優れた赤外線反射率を有するものであることが確認された。
【００８６】
【表１】
2016193978.tif 000002
【産業上の利用可能性】
【００８７】
また、本発明に係る赤外線反射性黒色顔料を含有する樹脂組成物は、赤外線反射性に優れるので、樹脂組成物を公知の方法でシート又はフィルムとすることで、以下のような用途に利用することができる。
【００８８】
本発明に係る赤外線反射性黒色顔料を含有する樹脂組成物から得られるシートは、黒色であるので農業用マルチシートに利用すれば、雑草の発生、育成を防止することが可能であり、さらに赤外線反射性に優れるので地面の温度上昇を抑えることが可能であり、黒色の農業用マルチシートとして好適に使用することができる。
【００８９】
同様に、本発明に係る赤外線反射性黒色顔料を含有する樹脂組成物から得られるシートは太陽電池のバックシートに好適に使用することができる。太陽電池モジュールは、複数の太陽電池素子の表裏面がカバー材料で保護されている。太陽電池素子の裏面を保護するバックシートは、電力変換効率の点から高い反射性を有し、意匠の点から黒色を有するバックシートが好ましい。さらに太陽電池素子は高温になるほど発電効率が低下する。本発明に係る赤外線反射性黒色顔料を含有する樹脂組成物から得られるシートは、太陽電池のバックシートとして必要な特性を十分に備え、太陽電池のバックシートとして好ましい。